(57)【特許請求の範囲】
【請求項１】
開口部が設けられたカバーおよびカバーが被着されるケース本体を有するケースと；
カバーの開口部に配置される操作部と；
ケース内に配置される配線基板、および配線基板上に形成され入力される交流電源を全波整流回路で整流した直流出力によって作動する電子スイッチ回路を有し、ケース本体とカバーとの間およびカバーと操作部との間に接近した配線基板の箇所に、電子スイッチ回路の電源側の低インピーダンスのパターン、および全波整流回路の直流出力の接地側の低インピーダンスのパターンが形成された電子スイッチ回路基板と；
ケース内に配置され、操作部の操作で電子スイッチ回路を作動させる接点機構と；
を具備していることを特徴とするスイッチ装置。
【請求項２】
配線基板は、ケース本体の内側でかつ一方の面がカバーに対向して配置されるとともに、カバーに対向する一方の面に低インピーダンスのパターンが形成されている
ことを特徴とする請求項１記載のスイッチ装置。
【請求項３】
接点機構は、配線基板のカバーに対向する一方の面側でカバーの開口部に対向して配置されている
ことを特徴とする請求項２記載のスイッチ装置。
【請求項４】
配線基板の低インピーダンスのパターンは露出形成されている
ことを特徴とする請求項１ないし３いずれか一記載のスイッチ装置。
【発明の詳細な説明】
【０００１】
【発明の属する技術分野】
本発明は、電子スイッチ回路を有するスイッチ装置に関する。
【０００２】
【従来の技術】
従来、例えば、家庭用の屋内配線に用いられる配線器具としてのスイッチ装置では、玄関などの照明、トイレや風呂などの換気扇などの負荷について、オフ操作後の一定時間後または任意に設定した時間後に負荷を自動的にオフするようにした遅動スイッチやタイマスイッチが用いられている。
【０００３】
このようなタイマ機能を有するスイッチ装置では、ぜんまいばねおよび時計機構などを用いた機械式の他、電子スイッチ回路を用いた電子式があり、電子式の場合には、配線基板に半導体スイッチング素子を含む複数の電気部品を実装してタイマスイッチ回路を形成している。
【０００４】
また、屋内配線に用いられる壁面埋込形の配線器具では、この配線器具を取り付ける取付枠やフラッシュプレートの窓孔寸法などが規格化されているのに対応して、１モジュール、１．５モジュール、２モジュールまたは３モジュールのいずれかのサイズになるように実際上標準化されている。
【０００５】
タイマ機能を有するスイッチ装置は、機械式の場合、そのほとんどは、１モジュールサイズに構成され、また、電子式の場合には、照明スイッチ機能が付加された３モジュールサイズがある他、例えば、特開平１１−１９５３６３号公報に記載されているように、１モジュールサイズに小形化された構成も提案されている。
【０００６】
そして、特開平１１−１９５３６３号公報に記載のスイッチ装置では、ケース本体とカバーとでケースが構成され、カバーに形成される開口部に操作部が配置され、ケース内には、タイマスイッチ回路、および操作部の操作でタイマスイッチ回路を作動させる接点機構が配置されている。
【０００７】
【発明が解決しようとする課題】
しかしながら、従来の電子式のスイッチ装置では、スイッチ操作するときなどに静電気が発生した場合、この静電気がケース本体とカバーとの間やカバーと操作部との間などの隙間を通じてケース内に侵入し、ケース内に配置されている配線基板上のタイマスイッチ回路を誤動作させたり、タイマスイッチ回路を構成する素子などを破壊するおそれがある。特に、１モジュールタイプのようにケースを小形に構成した場合は、ケース本体とカバーとの間、およびカバーと操作部との間の隙間にケース内に配置される配線基板が接近し、絶縁距離を確保することが難しく、静電気の影響を受けやすい。
【０００８】
このような静電気に対処するには、電子スイッチ回路を静電気から保護する遮蔽部品などを追加しなければならず、部品点数が増加するとともに、大形化して、１モジュールタイプに構成することが困難になるなどの問題が生じる。
【０００９】
本発明は、このような点に鑑みなされたもので、静電気対策を容易にできるスイッチ装置を提供することを目的とする。
【００１０】
【課題を解決するための手段】
請求項１記載のスイッチ装置は、開口部が設けられたカバーおよびカバーが被着されるケース本体を有するケースと；カバーの開口部に配置される操作部と；ケース内に配置される配線基板、および配線基板上に形成され入力される交流電源を全波整流回路で整流した直流出力によって作動する電子スイッチ回路を有し、ケース本体とカバーとの間およびカバーと操作部との間に接近した配線基板の箇所に、電子スイッチ回路の電源側の低インピーダンスのパターン、および全波整流回路の直流出力の接地側の低インピーダンスのパターンが形成された電子スイッチ回路基板と；ケース内に配置され、操作部の操作で電子スイッチ回路を作動させる接点機構と；を具備しているものである。
【００１１】
そして、配線基板のケース本体とカバーとの間およびカバーと操作部との間に接近した箇所に、電子スイッチ回路の電源側の低インピーダンスのパターン、および全波整流回路の直流出力の接地側の低インピーダンスのパターンを形成したことにより、ケース本体とカバーとの間およびカバーと操作部との間からケース内に侵入する静電気を低インピーダンスのパターンに積極的に印加させて、静電気による影響を防止し、静電気から電子スイッチ回路を保護する遮蔽部品などを追加することなく、静電気対策を容易に可能とする。
【００１２】
請求項２記載のスイッチ装置は、請求項１記載のスイッチ装置において、配線基板は、ケース本体の内側でかつ一方の面がカバーに対向して配置されるとともに、カバーに対向する一方の面に低インピーダンスのパターンが形成されているものである。
【００１３】
そして、配線基板を、ケース本体の内側でかつ一方の面がカバーに対向して配置するとともに、カバーに対向する一方の面に低インピーダンスのパターンを形成したことにより、ケース本体とカバーとの間およびカバーと操作部との間に低インピーダンスのパターンを接近させたり対向させ、ケース本体とカバーとの間およびカバーと操作部との間からケース内に侵入する静電気を低インピーダンスのパターンに対してより積極的に印加させる。
【００１４】
請求項３記載のスイッチ装置は、請求項２記載のスイッチ装置において、接点機構は、配線基板のカバーに対向する一方の面側でカバーの開口部に対向して配置されているものである。
【００１５】
そして、接点機構を、配線基板のカバーに対向する一方の面側でカバーの開口部に対向して配置したことにより、ケース本体とカバーとの間およびカバーと操作部との間からケース内に侵入する静電気を接点機構に積極的に印加させ、電子スイッチ回路への静電気の影響を防止する。
【００１６】
請求項４記載のスイッチ装置は、請求項１ないし３いずれか一記載のスイッチ装置において、配線基板の低インピーダンスのパターンは露出形成されているものである。
【００１７】
そして、配線基板の低インピーダンスのパターンを露出形成したことにより、ケース本体とカバーとの間およびカバーと操作部との間からケース内に侵入する静電気を低インピーダンスのパターンに対してより積極的に印加させる。
【００１８】
【発明の実施の形態】
以下、本発明の一実施の形態を図面を参照して説明する。
【００１９】
図１は配線基板のパターンレイアウトの説明図、図２はスイッチ装置の回路部品を実装した配線基板の平面図、図３はスイッチ装置の断面図、図４は図３に対して直交する方向から視るスイッチ装置の断面図、図５はスイッチ装置の平面図、図６はスイッチ装置の接点機構の平面図、図７はスイッチ装置を用いた負荷回路の配線図、図８はスイッチ装置の電子スイッチ回路の回路図である。
【００２０】
図７に示すように、スイッチ装置11は、例えば、トイレなどに設置される照明負荷Ｌおよび換気扇負荷Ｆの遅動スイッチに適用され、商用１００Ｖ交流電源である交流電源Ｅと照明負荷Ｌおよび換気扇負荷Ｆとの間に配線されている。
【００２１】
スイッチ装置11は、交流電源Ｅの一極に接続される端子t0、交流電源Ｅの他極に接続された照明負荷Ｌに接続される端子t1、交流電源Ｅの他極に接続された換気扇負荷Ｆに接続される端子t2、照明負荷Ｌをオンオフさせる負荷接点LC、換気扇負荷Ｆをオンオフさせる電子スイッチ回路としてのタイマスイッチ回路12、およびタイマスイッチ回路12をトリガするトリガ接点TCを有している。
【００２２】
さらに、スイッチ装置11は、端子t0，t1，t2、負荷接点LC、タイマスイッチ回路12、およびトリガ接点TCを内蔵するケース13、負荷接点LCおよびトリガ接点TCをオンオフさせる操作部14を有している。操作部14は、ハンドル構造に構成され、図７において、時計回り方向すなわちオン方向に回動操作されたときに、負荷接点LCおよびトリガ接点TCがオンし、また、反時計回り方向すなわちオフ方向に回動操作されたときに、負荷接点LCおよびトリガ接点TCがオフする。
【００２３】
そして、本実施の形態では、トイレの使用時に、使用者がスイッチ装置11の操作部14をオン方向へ操作することにより、負荷接点LCおよびトリガ接点TCのオンし、照明負荷Ｌが点灯するとともに、換気扇負荷Ｆの作動が開始される。また、トイレの使用後に、使用者が操作部14をオフ方向へ操作することにより、負荷接点LCおよびトリガ接点TCがオフし、照明負荷Ｌが直ちに消灯されるが、トリガ接点TCのオフ後もタイマスイッチ回路12で換気扇負荷Ｆのオン状態が維持され、換気扇による換気が継続され、所定のタイマ時間の経過後にタイマスイッチ回路12がオフされ、換気扇負荷Ｆの作動が停止される。
【００２４】
次に、図８に、電子スイッチ回路基板としてのタイマスイッチ回路基板21を示し、このタイマスイッチ回路基板21は、タイマスイッチ回路12、およびこのタイマスイッチ回路12を実装する配線基板22を有している。タイマスイッチ回路12は、端子t0，t2間に接続されるスイッチ回路23、およびこのスイッチ回路23を制御するタイマ制御回路24を有している。配線基板22としては、主としてスイッチ回路23が実装されるとともにタイマ制御回路24の一部が実装される第１の配線基板としての入力基板25、およびタイマ制御回路24が実装される第２の配線基板としての制御基板26を有し、これら入力基板25および制御基板26が複数の中継端子t11ないしt14を介して電気的および機械的に接続されている。
【００２５】
スイッチ回路23は、端子t0，t1間に接続されるサージ吸収素子SA、端子t0，t1間に接続されるコンデンサC1とこのコンデンサC1の一端に接続されるインダクタＬとで構成される雑音防止回路27、およびこの雑音防止回路27に接続される無接点スイッチ回路28を備えている。
【００２６】
無接点スイッチ回路28は、コンデンサC1の両端にインダクタＬを介して接続されるトライアックＴ、およびこのトライアックＴに接続されるゲート回路29を有している。ゲート回路29は、全波整流回路30、コンデンサC2および抵抗器R1を有し、全波整流回路30の交流入力側の一端がトライアックＴの非ゲート側の一方の主極に接続されているとともに他端がトライアックＴのゲートに接続され、コンデンサC2および抵抗器R1がトライアックＴのゲートとゲート側の他方の主極との間に並列に接続されている。
【００２７】
また、タイマ制御回路24は、全波整流回路30の直流出力側の両端間に接続され、トライアックＴにゲート電流を供給するためのゲート電流供給回路31、トリガ接点TCのオンによってゲート電流供給回路31からのゲート電流の供給を開始させるタイマ動作スタート回路32、タイマ動作スタート回路32によってゲート電流供給回路31からゲート電流を供給させるとともにトリガ接点TCのオフ後も所定のタイマ時間はゲート電流を供給させるタイマ用集積回路IC、およびタイマ用集積回路ICからの信号によってゲート電流供給回路31からのゲート電流の供給を保持させる保持回路33を備えている。
【００２８】
ゲート電流供給回路31では、トランジスタQ1のエミッタが抵抗器R2を介して全波整流回路30の直流出力端の正極に接続され、コレクタが中継端子t12およびツェナーダイオードZD1を介して全波整流回路30の直流出力端の負極に接続されている。トランジスタQ1のベースは中継端子t13を介して保持回路33に接続され、トランジスタQ1のベース、エミッタ間にはコンデンサC3および抵抗器R3が並列に接続されている。
【００２９】
タイマ動作スタート回路32では、ツェナーダイオードZD1の両端に、順方向のツェナーダイオードZD2およびコンデンサC4が接続されている。ツェナーダイオードZD2のアノードとコンデンサC4との間にトランジスタQ2，Q3のコレクタが抵抗R4，R5を介して接続されているとともに、ツェナーダイオードZD1のカソードとコンデンサC4との間にトランジスタQ2，Q3のエミッタが接続されている。トランジスタQ2のベース、エミッタ間には抵抗器R6およびコンデンサC5およびが並列に接続され、トランジスタQ2のベースは抵抗R7，R8を介して中継端子t11に接続されている。トランジスタQ3のベースはトランジスタQ2のコレクタと抵抗R4との間に接続されている。また、ダイオードD1のアノードが中継端子t11に抵抗器R8を介して接続され、カソードが中継端子t12に接続されている。
【００３０】
また、タイマ用集積回路ICでは、ＭＲ端子がトランジスタQ2のコレクタと抵抗器R5との間に接続されている。ＶＤＤ端子、Ｏ／ＯＳＰＩ端子、ＭＯＤＩ端子およびＡＲ端子が、さらに、抵抗器R9を介してＢ端子が、それぞれ抵抗R4，R5間に接続されている。ＶＳＳ端子が、さらに、抵抗器R10を介してＡ端子およびＢ端子が、それぞれトランジスタQ3のエミッタに接続されている。ＣＩＣ端子がコンデンサC6の一端に接続され、ＲＳ端子およびＲＩＣ端子がコンデンサC6の他端に抵抗器R11，R12を介して接続されている。０端子が保持回路33に接続されている。
【００３１】
タイマ用集積回路ICの機能では、トランジスタQ2のベースにベース電流が供給されたときに、トランジスタQ2がオンし、トランジスタQ3がオフして、ＭＲ端子に電圧が印加されることにより、０端子からオン信号を出力する。トランジスタQ2のベースにベース電流が供給されなくなると、トランジスタQ2がオフし、トランジスタQ3がオンして、ＭＲ端子の電位が低下することにより、タイマ用集積回路ICはタイマ動作を開始し、予め設定されているタイマ時間が経過するまでは０端子からのオン信号の出力を継続する。
【００３２】
また、保持回路33は、トランジスタQ4のベースが抵抗器R13を介してタイマ用集積回路ICの０端子に接続され、コレクタが抵抗器R14および中継端子t13を直列に介してトランジスタQ1のベースに接続され、エミッタが中継端子t14を介して全波整流回路30の直流出力端の負極に接続されている。トランジスタQ4のベース、エミッタ間にはコンデンサC7および抵抗器R15が並列に接続されている。
【００３３】
また、トリガ接点TCは、一端が抵抗器R16を介して全波整流回路30の直流出力端の正極に接続され、他端が中継端子t11を介してトランジスタQ2のベースに接続されている。全波整流回路30の直流出力端間には、抵抗器R16を介して、抵抗器R17および発光ダイオードLEDの直列回路が接続されている。
【００３４】
また、負荷接点LCは、端子t0，t1間に接続されている。
【００３５】
そして、タイマスイッチ回路12の回路動作について説明する。
【００３６】
端子t0、t1間に印加されている交流電圧が全波整流回路30により整流され、全波整流回路30の直流出力端間には半波整流波形の直流電圧が出力されている。
【００３７】
スイッチ装置11の操作部14の操作でトリガ接点TCが負荷接点LCとともにオンすることにより、タイマ動作スタート回路32が動作する。すなわち、全波整流回路30の直流出力電圧が、抵抗器R16、トリガ接点TC、中継端子t11、および抵抗器R8を介して抵抗器R6，R7の直列回路に印加され、抵抗器R6の端子電圧に応じたベース電流がトランジスタQ2に流れる。さらに、全波整流回路30の直流出力電圧が、抵抗器R16、トリガ接点TC、中継端子t11、抵抗器R8、およびダイオードD1を介してツェナーダイオードZD1の両端に印加される。このツェナーダイオードZD1により保持された電圧がツェナーダイオードZD2を介してコンデンサC4の両端に印加され、コンデンサC4によって平滑化された直流電圧が得られる。この平滑化電圧が、トランジスタQ2，Q3のコレクタ、エミッタ間に抵抗器R4，R5を介して印加されるとともに、タイマ用集積回路ICに印加されてスンタバイ状態となる。
【００３８】
これにより、トランジスタQ2がオン、トランジスタQ3がオフし、タイマ用集積回路ICのＭＲ端子に電圧が印加され、タイマ用集積回路ICが動作する。タイマ用集積回路ICの０端子からオン信号が出力され、抵抗器R13を介して保持回路33のトランジスタQ4にベース電流が流れ、トランジスタQ4がオンする。トランジスタQ4のオンにより、トランジスタQ1のベース電位が低下するため、全波整流回路30の正極からベース電流が流れてトランジスタQ1がオンする。トランジスタQ1のオンにより、ゲート電流供給回路31のトランジスタQ1、中継端子t12、およびツェナーダイオードZD1を介して全波整流回路30の直流出力端間に電流が流れる。全波整流回路30の直流出力端間のゲート電流供給回路31に電流が流れることにより、無接点回路28のトライアックＴに所定のゲート電流が流れて、トライアックＴがオンし、タイマスイッチ回路12のスイッチ回路23がオン状態となり、つまり換気扇負荷Ｆがオン状態となる。
【００３９】
また、スイッチ装置11の操作部14の操作でトリガ接点TCがオフすることにより、タイマ動作スタート回路32の抵抗器R6，R7への電圧印加が解除されるので、トランジスタQ2がオフ、トランジスタQ3がオンして、タイマ用集積回路ICのＭＲ端子の電位が低下し、タイマ用集積回路ICがタイマ動作を開始する。タイマ動作を開始したタイマ用集積回路ICの０端子からはオン信号が引き続き出力され、トランジスタQ1、およびトライアックＴのオン状態が維持され、つまり換気扇負荷Ｆのオン状態が維持される。
【００４０】
タイマ用集積回路ICによる所定のタイマ時間が終了することにより、０端子からのオン信号の出力を停止する。これにより、保持回路33のトランジスタQ4がオフして保持が解除されるので、ゲート電流供給回路31のトランジスタQ1のベース電位が上昇してオフする。その結果、ゲート電流が遮断されるので、無接点スイッチ28のトライアックＴがオフし、つまり換気扇負荷Ｆがオフする。
【００４１】
また、トライアックＴがオフ状態のときには、全波整流回路30の直流出力により発光ダイオードLEDが点灯し、トライアックＴがオン状態のときには、トランジスタQ1がオンし、発光ダイオードLEDの電位障壁に達しないので、発光タイオードLEDは消灯する。
【００４２】
次に、図３ないし図５に示すように、ケース13は、ケース本体41およびこのケース本体41に被着されて組み合わされるカバー42を有しており、配線器具に対応した１モジュールサイズに形成されている。
【００４３】
ケース本体41は、絶縁性を有する例えば合成樹脂製で、両端方向の幅が広く、両側方向の幅が狭く形成され、カバー42側の端面すなわち図中上端面に長方形状の開口部45が開口形成され、この開口部45の周縁部にカバー42と組み合わされて互いに接合されるケース本体側接合部46が形成されている。ケース本体41の内部には、中央に部品収納部47の空間が形成されているとともに、この部品収納部47の両端に仕切壁48を介して各一対の端子収納部49、およびこれら一対の端子収納部49間のリリースボタン収納部50がそれぞれ形成されている。各端子収納部49の底部には電線挿入孔51が形成され、リリースボタン収納部50の底部には図示しないリリースボタン操作孔が形成されている。
【００４４】
カバー42は、絶縁性を有する例えば合成樹脂製で、中央に突出部55が形成されているとともに、この突出部55の両端にフランジ部56が形成され、ケース本体41側に対向する周縁部にケース本体41と互いに組み合わされてケース本体側接合部46と接合されるカバー側接合部57が形成されている。突出部55には、ケース本体41側に開口する空間部58が形成されているとともに、ケース本体41側と反対側の外面に開口する開口部59が形成され、これら空間部58および開口部59に操作部14が揺動可能に配置されている。空間部58の両側中央には、操作部14を揺動可能に支持する略三角形状の支持溝60が形成されている。フランジ部56には、ケース本体41のケース側接合部46の内側に係合する凸部61が形成されている。そして、フランジ部56を介して、図示しない結合具により、カバー42がケース本体41に結合されている。
【００４５】
また、操作部14は、操作部本体65を有し、この操作部本体65の両側中央には、カバー42の両側の支持溝60に揺動可能に係合する略三角形状の支点部66が突出形成されている。操作部14の一端側近傍には発光ダイオードLEDに臨む窓孔67が形成され、この窓孔67に透光性を有する透過カバー68が取り付けられ、操作部14の表面側には透明カバー69が取り付けられている。操作部14の両側には、操作部14が揺動した方向に向けて弾性的に付勢するための略Ｖ字形の板ばね70が取り付けられている。
【００４６】
また、ケース本体41の各端子収納部49には各電線挿入孔51から挿入される電線に機械的および電気的に接続される鎖錠端子75が収納され、リリースボタン収納部50には各鎖錠端子75を各電線から離して各電線の抜き外しを可能とする図示しないリリースボタンが収納されている。
【００４７】
また、ケース13の内部には、スイッチユニット81が収納される。このスイッチユニット81は、タイマスイッチ回路基板21、および操作部14の操作で切り換えられる接点機構82を有している。
【００４８】
タイマスイッチ回路基板21は、入力基板25および制御基板26を有し、入力基板25が、ケース本体41の開口部45内にその開口部45と平行に配置され、すなわちケース本体41の内側でかつ一方の面25aがカバー42に対向して配置され、また、制御基板26が、入力基板25の一側で入力基板25の他方の面25bに略垂直に連結されていて、ケース本体41の部品収納部47の一側壁に沿って配置されている。
【００４９】
入力基板25の他方の面25bで四隅位置には、各端子収納部49に挿入配置されて鎖錠端子75および電線と電気的に接続される略コ字形の端子片85が機械的および電気的に接続されている。一端側の端子片85は端子t0に接続されるもので一体に形成されて同電位とされている。
【００５０】
入力基板25および制御基板26の両面には、タイマスイッチ回路12を構成するプリント配線パターンが形成されているとともに、タイマスイッチ回路12を構成する複数の回路部品が実装され、図８に示すタイマスイッチ回路12が形成されている。
【００５１】
入力基板25の一方の面25aに形成されるプリント配線パターンは、図１にパターンレイアウトを示すように、入力基板25の周縁領域すなわちケース本体41とカバー42との間およびカバー42と操作部14との間に接近する箇所に電源側および接地側に対して低インピーダンスのパターンP1が形成され、このパターンP1の内側つまり入力基板25の中央領域に各回路部品を実装するパターンP2が形成されている。
【００５２】
低インピーダンスのパターンP1は、入力基板25の四隅に形成されて各端子片85が接続される電源側の端子t0，t0，t1，t2のパターンP10，P10，P11，P12、入力基板25の一側に沿って形成されて全波整流回路30の直流出力端の負極に接続される接地側のパターンP13、入力基板25の他側に沿って形成された端子t0から延びる電源側のパターンP14などを有している。
【００５３】
この入力基板25に回路部品を実装した状態を図２に示すように、プリント配線パターンは、例えばインダクタＬ、コンデンサC3、抵抗器R2，R3，R16，R17、全波整流器30および発光ダイオードLEDなどの回路部品を実装するパターンの箇所、接点機構82を接続するパターンの箇所つまりパターンP10，P11，P31，P32、および低インピーダンスのパターンP1の一部などを除いて、レジストなどの被覆体86で覆われている。低インピーダンスのパターンP1は、被覆体86が形成されないか、形成されても取り除かれて露出されている。
【００５４】
また、接点機構82は、図６に示すように、入力基板25の一方の面25a側に配置されており、絶縁基体91、この絶縁基体91上に配置された負荷接点LCおよびトリガ接点TCを有している。
【００５５】
絶縁基体91は、絶縁性を有する例えば合成樹脂製で、カバー42の空間部58に嵌合可能とする四角形板状に形成され、四隅に脚部92を有していて、ケース本体41の開口部45に嵌合された際に、各脚部92が開口部45の内壁面に形成された図示しない段部に係合して位置決めされる。絶縁基体91の一端寄り位置には、入力基板25に実装された発光ダイオードLEDが挿通される挿通孔93が形成されている。絶縁基体91の操作部14に対向する一方の面に、負荷接点LCおよびトリガ接点TCが配設されている。
【００５６】
負荷接点LCは、絶縁基体91の一方の面に沿って取り付けられる固定接点94、およびこの固定接点94に対して先端側が接離可能で離反する方向に弾性を有する可動接点95を備え、固定接点95は端子t0のパターンP10に、可動接点95は端子t1のパターンP10にそれぞれはんだ付けによって接続されている。
【００５７】
トリガ接点TCは、絶縁基体91の一方の面に沿って取り付けられる固定接点96、およびこの固定接点96に対して先端側が接離可能で離反する方向に弾性を有する可動接点97を備え、固定接点96はパターンP31に、可動接点97はパターンP32にそれぞれはんだ付けによって接続されている。
【００５８】
これら負荷接点LCおよびトリガ接点TCでは、操作部14が図３に示すようにオフ方向に揺動されている場合に各可動接点95，97が固定接点94，96から離反され、また、操作部14がオン方向に揺動された場合に操作部14で各可動接点95，97が押動されて固定接点94，96に接触される。
【００５９】
絶縁基体91の両側には操作部の板ばね70が当接する反転用板ばね98が取り付けられ、これら板ばね70と反転用板ばね98との作用により、操作部14が揺動した方向に向けて、操作部14を弾性的に付勢する。
【００６０】
このように構成されたスイッチ装置11は、１モジュールタイプで、取付枠およびフラッシュプレートとともに、屋内配線に用いられる壁面埋込形の配線装置に適用される。
【００６１】
そして、図３に示すように、操作部14がオフ方向に揺動されている場合には、負荷接点LCおよびトリガ接点TCの各可動接点95，97が固定接点94，96から離反し、照明負荷Ｌが消灯し、換気扇負荷Ｆが動作停止状態にある。但し、操作部14のオンからオフへの切換時点から、タイマスイッチ回路12のタイマ用集積回路ICで設定されたタイマ時間以上経過している。
【００６２】
また、操作部14をオン方向に揺動操作した場合には、操作部14で負荷接点LCおよびトリガ接点TCの各可動接点95，97が押動されて固定接点94，96に接触し、照明負荷Ｌが点灯し、換気扇負荷Ｆが動作状態となる。
【００６３】
この操作部14がオン状態から、操作部14をオフ方向に揺動操作した場合には、負荷接点LCおよびトリガ接点TCの各可動接点95，97が固定接点94，96から離反し、照明負荷Ｌは直ちに消灯するが、換気扇負荷Ｆはタイマスイッチ回路12の動作でそのまま継続動作する。タイマスイッチ回路12のタイマ用集積回路ICで設定されたタイマ時間が経過した後に、換気扇負荷Ｆの動作を自動停止する。
【００６４】
また、操作部14を操作する際、静電気が発生し、この静電気がケース本体41とカバー42との間やカバー42と操作部14との間などの隙間を通じてケース13内に侵入する場合がある。それらの間隙には入力基板25が接近して配置されているが、それら隙間に接近する入力基板25の箇所つまり周縁領域にはタイマスイッチ回路12の電源側および接地側に対して低インピーダンスのパターンP1が形成されているので、それら間隙からケース13内に侵入する静電気を低インピーダンスのパターンP1に積極的に印加させ、電源側および接地側に流し、タイマスイッチ回路21の回路部品が実装されるパターンP2には流さず、タイマスイッチ回路21の回路部品が破壊されるのを防止できる。そのため、静電気からタイマスイッチ回路21を保護する遮蔽部品などを追加することなく、静電気対策を容易にできる。特に、１モジュールタイプのようにケース13を小形に構成した場合には、ケース本体41とカバー42との間、およびカバー42と操作部14との間の隙間にケース13内に配置される入力基板25が接近し、絶縁距離を確保することが難しく、静電気の影響を受けやすくなるが、静電気からタイマスイッチ回路21を保護する遮蔽部品などを追加することなく、静電気対策を容易にでき、部品点数が増加することなく、小形化ができる。
【００６５】
また、入力基板25を、ケース本体41の内側でかつ一方の面25aがカバー42に対向して配置するとともに、カバー42に対向する一方の面25aに低インピーダンスのパターンP1を形成したので、ケース本体41とカバー42との間およびカバー42と操作部14との間に低インピーダンスのパターンP1を接近させたり対向させ、ケース本体41とカバー42との間およびカバー42と操作部14との間からケース13内に侵入する静電気を低インピーダンスのパターンP1に対してより積極的に印加させることができる。
【００６６】
また、接点機構82を、入力基板25のカバー42に対向する一方の面25a側でカバー42の開口部59に対向して配置したので、ケース本体41とカバー42との間およびカバー42と操作部14との間からケース13内に侵入する静電気を接点機構82の負荷接点LCおよびトリガ接点TCなどの強電部に積極的に印加させ、タイマスイッチ回路12への静電気の影響を防止できる。
【００６７】
また、入力基板25の低インピーダンスのパターンP1を露出形成したので、ケース本体41とカバー42との間およびカバー42と操作部14との間からケース13内に侵入する静電気を低インピーダンスのパターンP1に対してより積極的に印加させることができる。
【００６８】
【発明の効果】
請求項１記載のスイッチ装置によれば、ケース本体とカバーとの間およびカバーと操作部との間に接近した配線基板の箇所に、電子スイッチ回路の電源側の低インピーダンスのパターン、および全波整流回路の直流出力の接地側の低インピーダンスのパターンを形成したので、ケース本体とカバーとの間およびカバーと操作部との間からケース内に侵入する静電気を低インピーダンスのパターンに積極的に印加させて、静電気による影響を防止でき、静電気から電子スイッチ回路を保護する遮蔽部品などを追加することなく、静電気対策を容易にできる。
【００６９】
請求項２記載のスイッチ装置によれば、請求項１記載のスイッチ装置の効果に加えて、配線基板を、ケース本体の内側でかつ一方の面がカバーに対向して配置するとともに、カバーに対向する一方の面に低インピーダンスのパターンを形成したので、ケース本体とカバーとの間およびカバーと操作部との間に低インピーダンスのパターンを接近させたり対向させ、ケース本体とカバーとの間およびカバーと操作部との間からケース内に侵入する静電気を低インピーダンスのパターンに対してより積極的に印加させることができる。
【００７０】
請求項３記載のスイッチ装置によれば、請求項２記載のスイッチ装置の効果に加えて、接点機構を、配線基板のカバーに対向する一方の面側でカバーの開口部に対向して配置したので、ケース本体とカバーとの間およびカバーと操作部との間からケース内に侵入する静電気を接点機構に積極的に印加させ、電子スイッチ回路への静電気の影響を防止できる。
【００７１】
請求項４記載のスイッチ装置によれば、請求項１ないし３いずれか一記載のスイッチ装置の効果に加えて、配線基板の低インピーダンスのパターンを露出形成したので、ケース本体とカバーとの間およびカバーと操作部との間からケース内に侵入する静電気を低インピーダンスのパターンに対してより積極的に印加させることができる。
【図面の簡単な説明】
【図１】  本発明のスイッチ装置の一実施の形態を示し、配線基板のパターンレイアウトの説明図である。
【図２】  同上スイッチ装置の回路部品を実装した配線基板の平面図である。
【図３】  同上スイッチ装置の断面図である。
【図４】  同上図３に対して直交する方向から視るスイッチ装置の断面図である。
【図５】  同上スイッチ装置の平面図である。
【図６】  同上スイッチ装置の接点機構の平面図である。
【図７】  同上スイッチ装置を用いた負荷回路の配線図である。
【図８】  同上スイッチ装置の電子スイッチ回路の回路図である。
【符号の説明】
11    スイッチ装置
12    電子スイッチ回路としてのタイマスイッチ回路
13    ケース
14    操作部
21    電子スイッチ回路基板としてのタイマスイッチ回路基板
25    配線基板としての入力基板
30 全波整流回路
41    ケース本体
42    カバー
59    開口部
82    接点機構
P1    パターン
【図１】
0004557106.tif 000002
【図２】
0004557106.tif 000003
【図３】
0004557106.tif 000004
【図４】
0004557106.tif 000005
【図５】
0004557106.tif 000006
【図６】
0004557106.tif 000007
【図７】
0004557106.tif 000008
【図８】
0004557106.tif 000009